(57)【要約】【課題】ケース本体とは別体に形成した外装部品を、ケース本体に取り付けるようにした電気接続箱において、防水性を高めることが可能な電気接続箱を提供する。【解決手段】ケース本体１０の外面には、下面に開口４６を形成する周壁４１を備えた取付部３５Ｂを設け、外装部品６０には、開口４６から取付部３５Ｂ内に嵌合される嵌合部７５を設け、取付部３５Ｂの周壁４１と外装部品６０の嵌合部７５とには、互いに係止可能な係止部４８，７９Ａを設け、取付部３５Ｂには、嵌合部７５の上方を覆う上壁４７を設けるとともに、嵌合部７５には、外装部品６０の外面から係止部４８，７９Ａの下方を横切って係止部４８，７９Ａとケース本体１０との間に立ち上がる形状の遮水部８０を設けた。【選択図】図３
2010041807.tif 000002
【特許請求の範囲】
【請求項１】
ケース本体とは別体に形成した外装部品を、同ケース本体の外面に取り付けるようにした電気接続箱であって、
前記ケース本体の外面には、下面に開口を形成する周壁を備えた取付部を設け、
前記外装部品には、前記開口から前記取付部内に嵌合される嵌合部を設け、
前記取付部の周壁と前記外装部品の嵌合部とには、互いに係止可能な係止部を設け、
前記取付部には、前記嵌合部の上方を覆う上壁を設けるとともに、
前記嵌合部には、前記外装部品の外面から前記係止部の下方を横切って前記係止部と前記ケース本体との間に立ち上がる形状の遮水部を設けたことを特徴とする電気接続箱。
【請求項２】
前記ケース本体には、前記遮水部の外側を覆う被覆部を設けたことを特徴とする請求項１に記載の電気接続箱。
【発明の詳細な説明】
【技術分野】
【０００１】
本発明は、車両に搭載される電気接続箱に関する。
【背景技術】
【０００２】
従来より、電気接続箱の一例として、リレーおよび電子ユニット等の電気部品をケースに収容してなるものが知られている。この電気接続箱においては、ケースの一部分を、ケース本体とは別体の外装部品として形成し、これをケース本体の外面に取り付けるようにしたものがある。このような構成のものは、ケースの全体を一体に形成する場合に比べて、金型の小型化を図ることができる。
【０００３】
そして、外装部品とケース本体との取付構造の一例としては、以下のような構造が知られている（特許文献１）。ケース本体の外面に取付部を設け、取付部には上下方向に溝部を形成する。一方、外装部品には、溝部に対して下方から挿入可能な挿入片を設ける。そして、挿入片の先端には、側方に突出する突出部を設け、また溝部の側面には、突出部が係止する係止面を形成し、この係止面に突出部を係止させることで外装部品をケース本体に取り付ける構造である。
【特許文献１】特開２００６−２１７７７８公報
【発明の開示】
【発明が解決しようとする課題】
【０００４】
ところで、電気接続箱には、自動車のエンジンルームに配置されるものがある。そして、エンジンルームを高圧洗車する場合には、その水圧は全ての洗車機において一定であるわけではないから、電気接続箱は想定以上の高い水圧で洗車されることもありうる。ここで、上記のような外装部品とケース本体との取付構造では、ケースの取付部の上面に、係止面および溝部を形成するための金型の抜き穴が開口されるため、この抜き穴から取付部内に水が浸入し、その水が、外装部品の内側に入り込むおそれがある。そうすると、外装部品が、例えばケースのうちワイヤハーネスを外側へ引き出すための引出口を覆うものである場合には、外装部品の内側に入り込んだ水が、引出口からケースの内部に浸入してしまうことが懸念される。このため、外装部品とケース本体との取付部分から、水がケース内へ浸入するのを防ぎ、電気接続箱の防水性を高めたいという要望があった。
【０００５】
本発明は上記のような事情に基づいて完成されたものであって、ケース本体とは別体に形成した外装部品を、ケース本体に取り付けるようにした電気接続箱において、防水性を高めることが可能な電気接続箱を提供することを目的とする。
【課題を解決するための手段】
【０００６】
本発明は、ケース本体とは別体に形成した外装部品を、同ケース本体の外面に取り付けるようにした電気接続箱であって、前記ケース本体の外面には、下面に開口を形成する周壁を備えた取付部を設け、前記外装部品には、前記開口から前記取付部内に嵌合される嵌合部を設け、前記取付部の周壁と前記外装部品の嵌合部とには、互いに係止可能な係止部を設け、前記取付部には、前記嵌合部の上方を覆う上壁を設けるとともに、前記嵌合部には、前記外装部品の外面から前記係止部の下方を横切って前記係止部と前記ケース本体との間に立ち上がる形状の遮水部を設けたことに特徴を有する。
【０００７】
このような構成によれば、周壁および上壁により取付部内への水の浸入を防ぐことができ、また、係止部から取付部内に水が入った場合には、その水は、遮水部を伝って外装部品の外面に排出される。したがって、外装部品とケース本体との取付部分から水がケース内へ浸入するのを防ぐことができる。すなわち、ケース本体とは別体に形成した外装部品を、ケース本体に取り付けるようにした電気接続箱において、防水性を高めることができる。
【０００８】
また、前記ケース本体には、前記遮水部の外側を覆う被覆部を設けたものとしてもよい。これにより、遮水部に水が直接当たって取付部の内部に飛び散ることを防ぐことができ
【発明の効果】
【０００９】
本発明によれば、ケース本体とは別体に形成した外装部品を、ケース本体に取り付けるようにした電気接続箱において、防水性を高めることが可能な電気接続箱を提供することができる。
【発明を実施するための最良の形態】
【００１０】
以下、本発明の実施形態を図１〜図９によって説明する。
本実施形態における電気接続箱１は、自動車のエンジンルームに配置されるリレーボックスであり、バッテリー等の電源（図示せず）と、ヘッドランプ、ワイパー等の車載電装品（図示せず）との間に接続されて、各種車載電装品の通電及び断電を行うものである。この電気接続箱１は、リレーおよび電子ユニット等の図示しない電気部品をケースＣに収容してなるものである。以下、各構成部材において、図１の上側を上方、下側を下方として説明する。
この電気接続箱１は、ケース本体１０とは別体に形成した外装部品６０を、ケース本体１０の外面に取り付けるようにしたものである。ケース本体１０は、下部ケース２０と、下部ケース２０の上面側に嵌合する上部ケース３０とを有している。
【００１１】
下部ケース２０は合成樹脂製であって、底壁２１と、その周縁から上方に向かって立つ下縦壁２２とを備えて上面側が開口した容器状に形成されており、平面的には略長方形状をなしている。下部ケース２０の底壁２１は、全体として長手方向の一端側から他端側（図１では左手前側から右奥側）に向かって少しずつ上る傾斜をなしている。
【００１２】
下縦壁２２の上端部には、上部ケース３０と係止される複数のロック片２３が設けられている。各ロック片２３は、下縦壁２２の外面から上方へ向かって延出する形状をなし、下縦壁２２に対して接近・離間方向に弾性変形可能とされている。
また、下縦壁２２の上端部には、開口縁に沿って環状突条２４が突設されている。そして、下縦壁２２のうち環状突条２４よりも上側の部分は、上部ケース３０の上縦壁３１の内側に嵌合するようになっている。
【００１３】
下縦壁２２には、ワイヤハーネス（図示せず）を外側へ引き出すための引出口２５が形成されている。引出口２５は、下部ケース２０の長手方向の一端側（底壁２１の傾斜によって低い側に配される側）に設けられている。引出口２５は、下縦壁２２を、上端縁から底壁２１に近い位置まで上下方向に切り欠いてなるものであり、その下縁は略円弧状をなしている。
【００１４】
そして、引出口２５の下縁には、ケースＣの外側へ向かって突出するハーネス導出路２６が設けられている。ハーネス導出路２６は、上方に開放された略円弧状の断面形状をなし、また引出口２５の下縁からケースＣの外側に向かって少しずつ下がる傾斜をなしている。
【００１５】
引出口２５の両側縁およびハーネス導出路２６の両側縁には、リブ２７が立設されている。リブ２７は、引出口２５の上端からハーネス導出路２６の下端にかけて設けられている。リブ２７のうち引出口２５の両側縁に設けられた部分は、下縦壁２２に対して略垂直に立ち上がり、またハーネス導出路２６の両側縁に設けられた部分は、上方に立ち上がる形態をなしている。
【００１６】
上部ケース３０は合成樹脂製であって、下部ケース２０の下縦壁２２から上方に向かって立ち上がる上縦壁３１を有している。上部ケース３０は、上面および下面が開口した略筒状に形成され、平面的には下部ケース２０と整合する略長方形状をなしている。また、上部ケース３０の下端部は、下部ケース２０の形状に合わせて、全体として長手方向の一端側から他端側に向かって少しずつ下がる傾斜をなしている。
【００１７】
上部ケース３０の上縦壁３１の下端面は、略全周にわたって下部ケース２０の環状突条２４の上面に突き当たる当接面３１Ａとされている（図５参照）。この当接面３１Ａが環状突条２４の上面に当接することで、上部ケース３０は下部ケース２０に対して所定の高さ位置に保持される。
【００１８】
また、上部ケース３０の下端部には、環状突条２４の外側に嵌合される外嵌壁３２が、略全周にわたり設けられている（図１参照）。外嵌壁３２は、上縦壁３１の外面の下端から下方へ垂下する形態をなし、環状突条２４の外面に沿って（環状突条２４の外側に重なって）配される。
【００１９】
外嵌壁３２の下端には、ロック片２３が係止するロック突起３３が、ロック片２３に対応する複数箇所に設けられている。ロック突起３３は、外嵌壁３２の外面に突出して設けられ、環状突条２４の外側に嵌合した外嵌壁３２のロック突起３３に、ロック片２３が外側から弾性的に係止することで、下部ケース２０と上部ケース３０とが一体に組み付けられてロックされる。
【００２０】
上部ケース３０は、各種電気部品を収容する部品収容部３４を有している。上部ケース３０の上側には、アッパーカバーＵが被せられ、アッパーカバーＵにより、上部ケース３０の上側の開口の全体が覆われる（図２参照）。アッパーカバーＵと上部ケース３０との間は、図示しないパッキンによりシールされる。
【００２１】
ケース本体１０には、外装部品６０が取り付けられている。外装部品６０は、電気接続箱１を車両に固定するためのブラケット部６０Ａと、下部ケース２０の引出口２５の外側およびハーネス導出路２６の開放側を覆うカバー部６０Ｂとを有するものである。外装部品６０は、全体として縦長の形状をなし、カバー部６０Ｂとブラケット部６０Ａとは一体に形成されており、上方から見ると、カバー部６０Ｂとブラケット部６０Ａとが略Ｌ型をなしている（図９参照）。
【００２２】
ブラケット部６０Ａは、下部ケース２０の下縦壁２２の外面に沿って上下方向に長い形状をなし、その下端には、外側へ突出する固定部６１が設けられている。固定部６１には、固定部６１を車両にボルト締めするためのボルト孔６２が形成されている。
【００２３】
カバー部６０Ｂは、下縦壁２２に形成された引出口２５に被さる縦壁カバー部７１と、ハーネス導出路２６に被さる導出路カバー部７２とを有している。縦壁カバー部７１は、下端部を除いた引出口２５の全体を覆うことが可能な板状をなしている。導出路カバー部７２は、縦壁カバー部７１の下端から外側へ突出する部分であり、外側に向かって下がる傾斜（ハーネス導出路２６の傾斜と同等の傾斜）をなしている。導出路カバー部７２の下面には、略円弧形の断面をなして下方に開放する円弧溝７３が形成されている（図７参照）。そして、導出路カバー部７２がハーネス導出路２６に被さった状態では、円弧溝７３とハーネス導出路２６とにより、ケースＣの内部とケースＣの外部とを連通する略円形断面の開口が形成される（図３参照）。
【００２４】
カバー部６０Ｂには、下部ケース２０に設けられたリブ２７が差し入れられる差入溝７４が形成されている。差入溝７４は、縦壁カバー部７１の両側縁から導出路カバー部７２の両側縁にかけて形成されている。
【００２５】
外装部品６０とケース本体１０との取付部は、外装部品６０のうちブラケット部６０Ａに対応する位置と、カバー部６０Ｂに対応する位置との２箇所に設けられている。この２箇所の取付部のうち、ブラケット部６０Ａに対応する取付部を第１取付部３５Ａ、カバー部６０Ｂに対応する取付部（本発明の取付部に該当する）を第２取付部３５Ｂと称する。
【００２６】
第１取付部３５Ａとブラケット部６０Ａとの取付構造は、以下のとおりである。
第１取付部３５Ａは、全体として縦長の箱型をなし、上下方向に溝部３６が形成されるとともに、溝部３６の外側には、下端部が溝部３６を横切る略Ｕ型をなす係止片３７が設けられている。この係止片３７のうち溝部３６を横切る部分の上面は略水平に形成され、後述するブラケット部６０Ａの突出部６６が係止する係止面を構成している。また、係止片３７の両側から内側にかけての部分には、後述するブラケット部６０Ａのガイドリブ６４を下方から差し入れ可能なガイド溝３８が上下方向に形成されている（図５参照）。
【００２７】
そして、ブラケット部６０Ａの上方には、第１取付部３５Ａに係合する係合部６３が設けられている（図６参照）。係合部６３は、全体として第１取付部３５Ａの外側および側方を覆う形状をなし、その内側には、一対のガイドリブ６４が設けられている。また、一対のガイドリブ６４の間には、第１取付部３５Ａの溝部３６に下方から挿入される挿入片６５が設けられている。そして、挿入片６５の先端には、第１取付部３５Ａの係止面に係止可能な突出部６６が突設されている（図９参照）。
【００２８】
さて、第２取付部３５Ｂとカバー部６０Ｂとの取付構造について説明する。
ケース本体１０の外面には、下面に開口４６を形成する周壁４１を備えた第２取付部３５Ｂが設けられている。第２取付部３５Ｂは、上部ケース３０の下端部、詳しくは、上縦壁３１の下端部であって外嵌壁３２の上側の位置に設けられている。第２取付部３５Ｂは、全体として下方に開口する箱型をなし、その下縁は、外嵌壁３２の上縁に沿っている。また、第２取付部３５Ｂを正面（上部ケース３０の長手方向の側方）から見ると、若干縦長の略方形をなしている（図４参照）。
【００２９】
第２取付部３５Ｂの周壁４１は、上縦壁３１から略垂直をなして外側に立ち上がる一対の側壁部４２と、一対の側壁部４２の外側縁同士を連結する外壁部４３とにより構成されている。
上縦壁３１のうち外壁部４３と対向する部分（内壁部４４と称する）は、上縦壁３１の他の部分よりも壁厚寸法が大きくされている。また、内壁部４４の下端から、内壁部４４よりも壁厚寸法が小さい垂下部４５が垂下されている。垂下部４５は、内壁部４４のうち外壁部４３と対向する側の面と面一に突出している。垂下部４５の下端と側壁部４２の下端とは、略同一の高さ位置に配されている。
【００３０】
周壁４１の内側（周壁４１と内壁部４４との間）には、後述する外装部品６０の嵌合部７５が下方から嵌合可能とされている。周壁４１の下面に形成された開口４６は、横長（上部ケース３０の短手方向に細長い）長方形状をなしている（図５参照）。
【００３１】
また、第２取付部３５Ｂは、周壁４１の上面を塞ぐ上壁４７を有している。上壁４７は、周壁４１内に嵌合された嵌合部７５の上方を覆うものである。周壁４１と上壁４７とは一体に形成されている。
【００３２】
外装部品６０には、下面の開口４６から第２取付部３５Ｂ内に嵌合される嵌合部７５が設けられている（図６参照）。嵌合部７５は、カバー部６０Ｂの上方に設けられ、全体として第２取付部３５Ｂ内に嵌合可能な略箱型をなしている。
嵌合部７５は、カバー部６０Ｂの上端から、上方に立ち上がる一対の横壁７７を有している。一対の横壁７７は、カバー部６０Ｂの外面に対して略垂直をなす向きに形成され、互いに略平行をなして対向している。一対の横壁７７は、カバー部６０Ｂの内側に突出している。
【００３３】
一対の横壁７７のうち外側寄りの位置には、横壁７７同士を連結する表壁７８が設けられている。表壁７８は、横壁７７の上端から、カバー部６０Ｂよりも所定寸法だけ上方の位置に至る高さ寸法を有し、外側から見ると、若干縦長の略方形をなしている(図７参照）。表壁７８の高さ寸法は、第２取付部３５Ｂの外壁部４３の高さ寸法よりも小さく、第２取付部３５Ｂ内に全体が収容される（図３参照）。
【００３４】
第２取付部３５Ｂの周壁４１と外装部品６０の嵌合部７５とには、互いに係止可能な係止部が設けられている（図３参照）。係止部は、互いに凹凸嵌合可能なものであり、第２取付部３５Ｂ側の係止部は孔（以後、係止孔４８と称する）であり、嵌合部７５側の係止部は突起（同、係止突起７９Ａ）である。係止孔４８は、周壁４１の外壁部４３の略中央位置に形成され、係止突起７９Ａが嵌合可能な若干横長の略方形をなして外壁部４３を壁厚方向に貫通している（図４参照）。
【００３５】
一方、係止突起７９Ａは、嵌合部７５の表壁７８に設けられている。係止突起７９Ａは、表壁７８に形成された撓み片７９に設けられている。撓み片７９は、周囲にスリットを切り込むことにより形成され、上端が自由端とされた片持ち状をなし、内外方向に弾性撓み可能とされている。撓み片７９は、表壁７８の略中央位置に設けられている。
【００３６】
係止突起７９Ａは、撓み片７９の外側に突出して設けられている。係止突起７９Ａの上面は、下方に向かって少しずつ突出する傾斜をなし、下面は、略水平（撓み片７９に対して略垂直）をなし、第２取付部３５Ｂの係止孔４８の下縁に係止可能とされている。
【００３７】
そして、嵌合部７５には、外装部品６０の外面（カバー部６０Ｂの外面）から係止突起７９Ａの下方を横切って係止突起７９Ａとケース本体１０との間に立ち上がる形状の遮水部８０が設けられている（図８参照）。遮水部８０のうち係止突起７９Ａの下方を横切る部分を下遮水板８０Ａ、係止突起７９Ａとケース本体１０との間に立ち上がる部分を奥遮水板８０Ｂと称する。
【００３８】
下遮水板８０Ａは、上方から見ると、横長の長方形状をなし、長手方向の両端縁は、横壁７７の下縁に連結されている（図９参照）。また、下遮水板８０Ａの短手方向の両端縁のうち外側の縁は、カバー部６０Ｂの上縁に連結され、内側の縁は、奥遮水板８０Ｂの下縁に連結されている（図８参照）。下遮水板８０Ａの板面は、略水平（カバー部６０Ｂの外面に対して略垂直）をなしている。
【００３９】
奥遮水板８０Ｂは、下遮水板８０Ａから略垂直をなして上方へ立ち上がる形状をなし、その両側縁は、横壁７７の内側の縁に連結されている（図９参照）。奥遮水板８０Ｂは、表壁７８と略平行をなして内外に対向している。なお、奥遮水板８０Ｂと一対の横壁７７と表壁７８とにより、嵌合部７５の上面には、細長い開口が形成されている。
【００４０】
そして、ケース本体１０には、嵌合部７５の遮水部８０の外側を覆う被覆部４９が設けられている。被覆部４９は、上部ケース３０に設けられ、第２取付部３５Ｂの下側、言い換えると、外嵌壁３２の外側に設けられている。被覆部４９は、第２取付部３５Ｂから幅方向へ突出するとともに第２取付部３５Ｂから下方へ垂下する形状をなしている。被覆部４９の高さ寸法（垂下寸法）は、外嵌壁３２の高さ寸法よりも大きく、その下端部は外嵌壁３２から下方へ若干突出している。被覆部４９は、第２取付部３５Ｂの開口４６の外周を囲い、第２取付部３５Ｂの開口４６は、被覆部４９の下方に臨んでいる（図５参照）。
【００４１】
そして、第２取付部３５Ｂに嵌合部７５が嵌合されると、図３に示すように、嵌合部７５の遮水部８０のうち奥遮水板８０Ｂは、第２取付部３５Ｂの内壁部４４に沿って接した状態になり、下遮水板８０Ａは、第２取付部３５Ｂの内壁部４４と被覆部４９との間を略水平に架け渡された状態、言い換えると、第２取付部３５Ｂの開口４６を塞いだ状態になる。また、係止突起７９Ａは係止孔４８に嵌合して、係止突起７９Ａの下面が係止孔４８の下面に係止した状態になり、表壁７８は、外壁部４３の内面に沿って接した状態になる。そして、遮水部８０のうち奥遮水板８０Ｂの下端部（第２取付部３５Ｂの外壁部４３とカバー部６０Ｂとの間から前方に臨む部分）と、カバー部６０Ｂの上端部とは、被覆部４９により覆われた状態になる。
【００４２】
次に、電気接続箱１の組み付けについて説明する。
まず、外装部品６０を上部ケース３０に取り付ける。外装部品６０を、係合部６３が第１取付部３５Ａに、嵌合部７５が第２取付部３５Ｂに対向する姿勢にして、上部ケース３０側に押し込む。すると、係合部６３のガイドリブ６４は第１取付部３５Ａのガイド溝３８に、挿入片６５は溝部３６に下方から差し入れられ、挿入片６５の突出部６６が係止片３７の下端を上方へ越えると、突出部６６が係止片３７に係止して、係合部６３と第１取付部３５Ａとがロック状態になる。
【００４３】
また、嵌合部７５は、被覆部４９の内側を通って第２取付部３５Ｂの開口４６から第２取付部３５Ｂの内側に挿入される。このとき、係止突起７９Ａが外壁部４３の内面に接触して撓み片７９が内側に撓み、係止突起７９Ａが係止孔４８の位置に至ると、撓み片７９が弾性復帰して係止突起７９Ａが係止孔４８に嵌合し、嵌合部７５と第２取付部３５Ｂとがロック状態になる。こうして、外装部品６０は、上部ケース３０に取り付けられる。
【００４４】
その後、上部ケース３０から引き出したワイヤハーネスを、外装部品６０のカバー部６０Ｂの内側（下側）に沿わせた状態にし、上部ケース３０の下面に下部ケース２０を組み付ける。すると、カバー部６０Ｂに沿わせたワイヤハーネスは、下部ケース２０の引出口２５を介してハーネス導出路２６の上側に配置される。そして、カバー部６０Ｂの縦壁カバー部７１は引出口２５の外側を覆い、導出路カバー部７２はハーネス導出路２６の上方を覆った状態になる。また、上部ケース３０と下部ケース２０との組み付け過程においては、カバー部６０Ｂに設けられた差入溝７４にリブ２７が差し入れられていき、最終的にリブ２７の全長が差入溝７４に嵌合した状態になる。そして、下部ケース２０のロック片２３は上部ケース３０のロック突起３３に係合し、ケースＣは組み付け状態にロックされる。
【００４５】
そして、組み合わされたハーネス導出路２６および導出路カバー部７２と、ここから引き出されたワイヤハーネスとに、テープ（図示せず）を巻き付け、この引き出し部分の開口を塞いだ状態にする。
【００４６】
次に、上記のように構成された本実施形態の作用および効果について説明する。
本実施形態の電気接続箱１においては、ケース本体１０の外面には、下面に開口４６を形成する周壁４１を備えた第２取付部３５Ｂを設け、外装部品６０には、開口４６から第２取付部３５Ｂ内に嵌合される嵌合部７５を設け、第２取付部３５Ｂの周壁４１と外装部品６０の嵌合部７５とには、互いに係止可能な係止孔４８および係止突起７９Ａを設け、第２取付部３５Ｂには、嵌合部７５の上方を覆う上壁４７を設けるとともに、嵌合部７５には、外装部品６０の外面から係止突起７９Ａの下方を横切って係止突起７９Ａとケース本体１０との間に立ち上がる形状の遮水部８０を設けている。
【００４７】
これにより、第２取付部３５Ｂの周壁４１および上壁４７によって、第２取付部３５Ｂ内への水の浸入を防ぐことができ、また係止孔４８から第２取付部３５Ｂ内に水が入った場合には、その水は、遮水部８０の奥遮水板８０Ｂまたは下遮水板８０Ａに付着し、遮水部８０を伝って下方へ流れる。そして、遮水部８０を伝った水は、カバー部６０Ｂの外面に排出され、カバー部６０Ｂと被覆部４９との間の隙間を下方に流れてケースＣの外部へ排出される。したがって、外装部品６０とケース本体１０との取付部分から、水がケースＣ内へ浸入するのを防ぐことができる。すなわち、ケース本体１０とは別体に形成した外装部品６０を、ケース本体１０に取り付けるようにした電気接続箱１において、防水性を高めることができる。
【００４８】
また、ケース本体１０には、遮水部８０の外側を覆う被覆部４９を設けている。これにより、洗浄水が、遮水部８０に直接当たって第２取付部３５Ｂの内部に飛び散ることを防ぐことができ、さらなる防水性の向上を実現することができる。
【００４９】
＜他の実施形態＞
本発明は上記記述及び図面によって説明した実施形態に限定されるものではなく、例えば次のような実施形態も本発明の技術的範囲に含まれる。
【００５０】
（１）上記実施形態では、本発明を、互いに嵌合可能な上部ケース３０と下部ケース２０とからなるケース本体１０を有する電気接続箱１に適用したが、これに限らず、本発明は、様々な形態のケースを有する電気接続箱に適用することができ、例えば、ケース本体が分割可能なものだけでなく、ケース本体の全体が一体的に形成されたものにも適用することができる。
【００５１】
（２）上記実施形態では、外装部品６０は、カバー部６０Ｂとブラケット部６０Ａとを一体に形成してなるものとされているが、これに限らず、外装部品は、ケース本体の外面に取り付けられるものであればどのようなものであってもよく、例えば、カバー部のみを有するものであってもよい。
【００５２】
（３）上記実施形態では、第２取付部３５Ｂと嵌合部７５とを係止する係止部として、第２取付部３５Ｂの周壁４１には係止孔４８を形成し、外装部品６０の嵌合部７５には係止突起７９Ａを設けているが、係止部は、互いに係止可能であればどのような構成としてもよい。
【００５３】
（４）上記実施形態では、係止孔４８は第２取付部３５Ｂの周壁４１のうち外壁部４３に形成されているが、これに限らず、例えば係止孔は側壁部に形成されていてもよい。
【００５４】
（５）上記実施形態では、本発明を、外装部品６０のうちカバー部６０Ｂに対応する第２取付部３５Ｂのみ、すなわち外装部品のうちケースの開口（引出口）を覆う部分に対応する取付部のみに適用しているが、本発明は、ケースの開口を覆う外装部品の取付部のみならず、ケース本体の外面に取り付けられる外装部品であればどのような部品（例えばブラケット等）の取付部に適用してもよい。
【００５５】
（６）上記実施形態では、遮水部８０の下遮水板８０Ａは、略水平な面とされているが、これに限らず、例えば下遮水板を、外側へ向かって下る傾斜をなす面としてもよい。
【図面の簡単な説明】
【００５６】
【図１】本実施形態にかかる電気接続箱のケースの分解斜視図
【図２】電気接続箱の上面図
【図３】図２のＡ−Ａ断面図
【図４】上部ケースの側面図
【図５】上部ケースの部分拡大下面図
【図６】外装部品の斜視図
【図７】同側面図
【図８】図７のＢ−Ｂ断面図
【図９】外装部品の上面図
【符号の説明】
【００５７】
１…電気接続箱
１０…ケース本体
３５Ｂ…第２取付部（取付部）
４１…周壁
４６…開口
４７…上壁
４８…係止孔（係止部）
４９…被覆部
６０…外装部品
７５…嵌合部
７９Ａ…係止突起（係止部）
８０…遮水部
【図１】
2010041807.tif 000003
【図２】
2010041807.tif 000004
【図３】
2010041807.tif 000005
【図４】
2010041807.tif 000006
【図５】
2010041807.tif 000007
【図６】
2010041807.tif 000008
【図７】
2010041807.tif 000009
【図８】
2010041807.tif 000010
【図９】
2010041807.tif 000011